(57)【要約】【課題】  特定の物体が、特定の場所に位置する人によって取り扱われたことを証明することができるようにする、監視システムを提供することである。【解決手段】  特定の場所に設置したＩＤ発信手段４と、移動可能な物体１０に設けたＩＤ受信手段１１とからなり、上記ＩＤ発信手段およびＩＤ受信手段には、それそれには、人体９が触れたとき、その人体９を介して電気信号を送受信可能にする電極８，１２を備えるとともに、上記ＩＤ発信手段４は、設置場所に対応したＩＤを記憶し、そのＩＤを上記電極を介して発信する機能を備え、上記ＩＤ受信手段１１は、ＩＤ発信手段が発信したＩＤを上記電極１２を介して受信し、それを記憶する機能とを備えた。【選択図】  図５
2007034911.tif 000002
【特許請求の範囲】
【請求項１】
特定の場所に設置したＩＤ発信手段と、移動可能な物体に設けたＩＤ受信手段とからなり、上記ＩＤ発信手段およびＩＤ受信手段のそれぞれには、人体が触れたとき、その人体を介して電気信号を送受信可能にする電極を備えるとともに、上記ＩＤ発信手段は、設置場所に対応したＩＤを記憶し、そのＩＤを上記電極を介して発信する機能を備え、上記ＩＤ受信手段は、ＩＤ発信手段が発信したＩＤを上記電極を介して受信し、それを記憶する機能を備えた監視システム。
【請求項２】
上記ＩＤ発信手段を、特定の動作を行なうべき１または複数の特定の場所であって、人が立つことができる平面に設けた請求項１に記載の監視システム。
【請求項３】
特定の動作を行なうべき複数の特定の場所のそれぞれであって、人が立つことができる平面に、ＩＤ発信手段あるいはＩＤ受信手段のいずれか一方を設け、ＩＤ発信手段あるいはＩＤ受信手段のいずれか一方を設けたそれぞれの場所を区画する仕切りを備え、上記ＩＤ発信手段およびＩＤ受信手段のそれぞれには、人体が触れたとき、その人体を介して電気信号を送受信可能にする電極を備えるとともに、上記ＩＤ発信手段は、記憶したＩＤを上記電極を介して発信する機能を備え、上記ＩＤ受信手段は、ＩＤ発信手段が発信したＩＤを上記電極を介して受信し、それを記憶する機能を備えた監視システム。
【請求項４】
上記ＩＤ受信手段は、ＩＤ発信手段から受信したＩＤに、そのＩＤの発信時刻または受信時刻を対応付けて記憶する機能を有する請求項１〜３のいずれか１に記載の監視システム。
【請求項５】
上記物体には取っ手を設け、この取っ手に上記ＩＤ発信手段の電極またはＩＤ受信手段の電極を備えた請求項１〜４のいずれか１に記載の監視システム。
【請求項６】
上記物体が、特定の場所において利用される手段であることを特徴とする請求項１，２，４，５に記載の物体の監視システム。
【請求項７】
上記手段は、それを機能させるためのスイッチを備えるとともに、このスイッチを手段に設けたＩＤ発信手段またはＩＤ受信手段と連係し、上記スイッチを入れたときに、上記ＩＤ発信手段またはＩＤ受信手段が動作する構成にした請求項６に記載の監視システム。
【発明の詳細な説明】
【技術分野】
【０００１】
この発明は、物体を監視するシステムに関する。
【背景技術】
【０００２】
特定の物が、正規のルートを通って運ばれてきたか否かを確認したり、経由場所を特定したりするためのシステムがある。
例えば、配達物に、ＩＤを発信する通信機能つきＩＣタグなどを添付し、このＩＤを、配達過程に設けた読み取り装置に読み取らせて、そのデータを管理コンピュータへ送信する。上記読取装置は、読み取ったＩＤとともに、自身の位置情報も管理コンピュータへ送信するようにする。
【０００３】
上記のようにすることで、管理コンピュータには、位置情報と配達物のＩＤとが送信されることになり、管理コンピュータは、受信した位置情報から、配達中の配達物の位置を確認することができる。そして、最終的には、配達物が目的地に配達されたかどうかがわかるというものである（特許文献１参照）。
このようなシステムでは、物体から読み取ったＩＤと読み取り装置の位置情報とをそれぞれ管理コンピュータへ送信し、これらの対応付けを管理コンピュータで行なうようにしている。
【０００４】
一方、上記管理コンピュータではなく、物体に自身の経由履歴を記憶させる方法がある。この方法では、物体の経由場所にＩＤ発信手段を設け、物体側には、ＩＤを受信して記憶するＩＣタグなどの記憶手段を設ける。物体側に、その物体の経由場所に対応したＩＤが記憶されるため、管理コンピュータなどを用いなくても、後から、物体側の記憶手段に記憶されたＩＤを読み出せば、そのＩＤから、その物体がどこを経由したのかが分かる。
【０００５】
上記のようなシステムは、例えば、万引きの検出にも利用できる。すなわち、小売店において、個々の商品に、ＩＤを受信して記憶することができるＩＣタグを取り付け、レジでの精算時に、店員が専用のＩＤ発信装置に商品のＩＣタグを近接させて、そのレジを特定するためのレジＩＤを上記ＩＣタグに書き込むようにする。このようにすれば、精算済みの商品のＩＣタグには、レジＩＤが記憶されることになる。例えば、店員がレジで代金を受け取ってから、その商品のＩＣタグを上記ＩＤ発信装置に近づけて、レジＩＤを上記ＩＣタグへ入力するようにする。従って、商品のＩＣタグに、レジＩＤが記憶されているかどうかによって、レジを通過したかどうかを後から確認することができる。
そして、レジに設置されたＩＤ発信装置と商品に取り付けたＩＣタグとの間は、近距離の非接触方式による無線通信によってＩＤを送受信するようにしている。
【特許文献１】特開平１１−１７５６２１号公報
【発明の開示】
【発明が解決しようとする課題】
【０００６】
上記のような非接触の通信方式を用いた場合、レジに設置したＩＤ発信装置に、商品を近づけることによって、商品のＩＣタグに、場所を特定するレジＩＤを書き込んで記憶させるようにする。このようにすると、例えば、万引きをしようとした万引犯は、店員が離れているレジに商品を持って行って、その商品を上記ＩＤ発信装置に近づければ、商品のＩＣタグにレジＩＤを書き込ませることができる。商品のＩＣタグにレジＩＤが記憶されていれば、後から、それを確認して万引の疑いを晴らすこともできる。
つまり、商品が、レジのＩＤ発信装置に近づいただけで、実際に、代金が支払われていないのに、レジＩＤがＩＣタグに記憶されてしまい、レジを経由したとみなされることがなる。
また、上記ＩＤ発信装置に商品を近づける処理を店員に行なわせる必要があり、店員に作業負担がかかるとともに、店員が実際に会計をしたとしても上記ＩＤ発信装置に商品を近づける処理を忘れてレジＩＤがＩＣタグに記憶されないという事故が起こる可能性がある。
【０００７】
レジでは、代金の支払いが終了した時点で、店員が商品をＩＤ発信装置に近づけて、レジＩＤをＩＣタグへ入力するようにしなければならないが、上記のシステムでは、店員以外の者が商品をＩＤ発信装置に近づけてもレジＩＤがＩＣタグへ書き込まれるので、店員が処理したのかどうかを確認することができなかった。
なお、上記ＩＤ発信装置を、レジカウンターを境にして店員側に設置して、客側から離した位置に設けることも考えられるが、カウンター内に店員がいない時に、万引犯は、手を伸ばしてＩＤ発信装置から商品にＩＤを受信させることもできる。
【０００８】
そして、このような問題は、ＩＤの送受信関係を反対にした場合でも同様に起こる可能性がある。すなわち、商品側にＩＤ発信機能を設けて、レジカウンターにＩＤ受信装置を設けた場合でも、店員以外の者が手を伸ばして、代金精算を行なっていない商品のＩＤを上記受信装置へ読み込ませることができるという問題がある。
この発明の目的は、商品などの特定の物体が、特定の場所に位置する人によって取り扱われたことを証明することができるようにする、監視システムを提供することである。
【課題を解決するための手段】
【０００９】
第１の発明は、特定の場所に設置したＩＤ発信手段と、移動可能な物体に設けたＩＤ受信手段とからなり、上記ＩＤ発信手段およびＩＤ受信手段のそれぞれには、人体が触れたとき、その人体を介して電気信号を送受信可能にする電極を備えるとともに、上記ＩＤ発信手段は、設置場所に対応したＩＤを記憶し、そのＩＤを上記電極を介して発信する機能を備え、上記ＩＤ受信手段は、ＩＤ発信手段が発信したＩＤを上記電極を介して受信し、それを記憶する機能を備えた点に特徴を有する。
【００１０】
第２の発明は、第１の発明を前提とし、上記ＩＤ発信手段を、特定の動作を行なうべき１または複数の特定の場所であって、人が立つことができる平面に設けた点に特徴を有する。
【００１１】
第３の発明は、特定の動作を行なうべき複数の特定の場所のそれぞれであって、人が立つことができる平面に、ＩＤ発信手段あるいはＩＤ受信手段のいずれか一方を設け、ＩＤ発信手段あるいはＩＤ受信手段のいずれか一方を設けたそれぞれの場所を区画する仕切りを備え、上記ＩＤ発信手段およびＩＤ受信手段のそれぞれには、人体が触れたとき、その人体を介して電気信号を送受信可能にする電極を備えるとともに、上記ＩＤ発信手段は、記憶したＩＤを上記電極を介して発信する機能を備え、上記ＩＤ受信手段は、ＩＤ発信手段が発信したＩＤを上記電極を介して受信し、それを記憶する点に特徴を有する。
【００１２】
第４の発明は、上記第１〜第３の発明を前提とし、上記ＩＤ受信手段は、ＩＤ発信手段から受信したＩＤに、そのＩＤの発信時刻または受信時刻を対応付けて記憶する機能を有する点に特徴を有する。
なお、上記受信時刻は、ＩＤ受信手段がＩＤを受信した時刻であり、ＩＤ受信手段が時計機能を備え、自身がＩＤを受信した時点で特定する時刻である。また、上記発信時刻は、ＩＤ発信手段がＩＤを発信した時刻であり、ＩＤ発信手段が時計機能を備え、ＩＤを発信する際に、その時刻を特定し、ＩＤとともに発信するようにする。ただし、両時刻は、ほとんどの場合、同時刻とみなせる。
【００１３】
第５の発明は、上記第１〜第４の発明を前提とし、上記物体には取っ手を設け、この取っ手に上記ＩＤ発信手段の電極またはＩＤ受信手段の電極を備えた点に特徴を有する。
上記取っ手には、物品本体に突出させて取り付けたようなものだけでなく、物品を持つときに、その部分に手が触れるようになっているものも含むものとする。例えば、指を引っ掛けるための凹部なども取っ手に含む。
【００１４】
第６の発明は、上記第１、第２、第４および第５の発明のいずれかを前提とし、上記物体が、特定の場所において利用される手段である点に特徴を有する。
上記特定の場所において利用される手段とは、特定の場所で人が行なう作業に用いる工具や、装置などである。
【００１５】
第７の発明は、上記第６の発明を前提とし、上記手段は、それを機能させるためのスイッチを備えるとともに、このスイッチを手段に設けたＩＤ発信手段またはＩＤ受信手段と連係し、上記スイッチを入れたときに、上記ＩＤ発信手段またはＩＤ受信手段が動作する構成にした点に特徴を有する。
【発明の効果】
【００１６】
第１〜第７の発明によれば、特定の場所において、物体が人に触れられたことを後から確認することができる。
特に、ＩＤ発信手段からＩＤ受信手段へのＩＤの送信を、人体を介した通信に限っているので、物体が人の手に触れたことを証明できる。
このように、物体の移動履歴だけでなく、個々の場所で、その物体に人が触れた事を確認できるため、人によって何らかの処理が行なわれたか否かを推測することができる。
例えば、商品の料金精算を行なうレジと、商品との間でＩＤの送受信を行うようにすれば、その商品がレジで店員に取り扱われたかどうかを、後から確認することもできる。
【００１７】
物体側にＩＤ受信手段を設け、特定の場所側にＩＤ発信手段を設けた場合には、物体のＩＤ受信手段が記憶しているデータから、その物体が特定の場所で人に扱われたかどうかを確認することができる。
反対に、物体側にＩＤ発信手段を設けて、特定の場所側にＩＤ受信手段を設けた場合には、ＩＤ受信手段が記憶しているデータから、その場所で取り扱われた物体がどれなのかを特定できる。
どちらにしても、特定の物体が、特定の場所で人に扱われたどうかを確認することができる。
【００１８】
第１の発明では、物体側にＩＤ受信手段を設けているため、物体に設けたＩＤ受信手段が記憶しているデータから、その物体が特定の場所で扱われたがどうかを確認できる。
例えば、商品側にＩＤ受信手段を設けた場合には、万引などで、商品がレジで店員に取り扱われなかったときには、商品のＩＤ受信手段に、レジに対応したＩＤが記憶されない。従って、万引犯に商品を持ち出されそうになったときに、その商品にレジのＩＤが記憶されていないことから、商品代の精算が行なわれていないことを推測することができる。
反対に、商品にレジのＩＤが記憶されていれば、万引の疑いを晴らすこともできる。
【００１９】
第２の発明によれば、特定の場所で特定の物体を取り扱う人が、特に意識しないでも、場所に対応したＩＤを物体に設けたＩＤ受信手段が受信することができる。
例えば、ＩＤ発信手段の設置位置を、上記人（例えば、店員など）が処理をする際に存在すべき場所の床面にすることによって、上記人はＩＤを読み取らせるという処理を特別に行なわずにＩＤを確実に読み取らせることができる。
【００２０】
また、上記第１および第２の発明では、特定の位置が複数ある場合にも、物体の移動履歴などを、ひとつのＩＤ受信手段が記憶している情報だけで確認することができる。
場所に受信手段を設けた場合に、特定の物体の移動履歴を確認するためには、その物体が取り扱われた複数の場所に設置されたＩＤ受信手段が受信したＩＤ情報を総合化する必要があるが、この発明では、そのような必要がない。
【００２１】
例えば、ＩＤ受信手段が受信したＩＤを総合化するために、管理コンピュータを用いる場合には、複数のＩＤ発信手段と管理コンピュータとを接続するネットワークを形成する必要があるが、上記第１、第２の発明では、上記のようなネットワークを形成する必要がない。このように、ネットワークの形成が不要なので、新たな場所へのＩＤ発信手段の設置を容易に行なうことができる。
【００２２】
第３の発明によれば、それぞれ特定の動作を行なうべき複数の特定の場所と、物体との間のＩＤの受信情報から、特定の目的を持った場所に物体が位置したことを確認することができる。これにより、特定の動作が行なわれたことを推測することができる。
また、上記特定の場所の間に仕切りを設けることによって、特定の動作を行なう場所を明確に区分し、物体が特定の場所に位置しただでなく、その物体を触った人が特定の動作を行なったと推測する際の確度を高めることができる。
【００２３】
第４の発明によれば、物体の移動履歴を確認することができる。
第５の発明によれば、特定の物体を手に取る場合に、人は意識しないで、ＩＤ発信手段またはＩＤ受信手段に手を触れるようになる。そのため、特に意識しないでも、特定の場所で、ＩＤの送受信が確実にできるようになる。
【００２４】
第６の発明によれば、道具などの手段に記憶された場所のＩＤから、その手段が、特定の場所で人に触れた状態でその位置にあったか否かを確認できる。そのため、例えば、特定の作業の手段としての道具を利用する作業現場へ、作業者が必要な道具を持って行ったかどうかを確認することができる。しかも、その道具が、単にその場所に置かれたのではなく、人がその道具を持った状態で、その位置にいたことが分かるので、作業者が必要な作業を行なったかどうかを推測することもできる。
【００２５】
第７の発明によれば、特定の場所で利用されるべき手段が、実際に機能したかどうかを確認することができる。これにより、作業者などが、その場所で行なうべき作業を行なったかどうかを、推測することができる。
特に、上記手段を機能させたときにだけ、ＩＤの送受信が行なわれるので、単にその場所で、道具などの手段を触ったというだけでなく、その手段を利用しで作業したかどうかをより正確に推測できる。
【発明を実施するための最良の形態】
【００２６】
図１〜図５に、この発明の第１実施形態を示す。この第１実施形態は、この発明のシステムを万引の監視に利用する例である。
図１は、このシステムを導入した店舗Ａの平面図である。複数の商品陳列棚１と、代金精算を行なうためのレジカウンター２とを備えている。このレジカウンター２は、店内の一角を囲むように設けられていて、その内側に、店員が入って商品を購入する客と対応するようにしている。そして、上記レジカウンター２の上には、通常のＰＯＳ装置３を設けるとともに、人が立つことができる平面であるレジカウンター２の内側の床には、この発明のＩＤ発信手段としてのＩＤ発信装置４が埋め込まれている。
【００２７】
このＩＤ発信装置４は、図２に示すように、その場所を特定する場所ＩＤを記憶した記憶部５と、これに接続したＣＰＵ６、発信回路７、発信電極８とを備えている。上記ＣＰＵ６は、記憶部５が記憶している場所ＩＤを、発信回路７および発信電極８を介して発信させる機能を備え、上記発信回路７は、上記場所ＩＤを電気信号として出力する機能を備えている。上記電気信号としては、発信電極８から人体を介さず空気中を無線で発信される電波ではなく、電流、電界、電圧など、発信電極８から人体を介して伝達されるものなら、どのようなものでも利用できる。ただし、人がゴム底など、非導電性の靴や手袋を着用している場合には、人体に電流信号を流すのは難しいので、電界信号を利用するようにする。
【００２８】
なお、上記ＩＤ発信装置４の記憶部５、ＣＰＵ６および発信回路７は、ＩＣチップで構成することができる。上記発信回路７などを構成するＩＣチップは、発信電極８より下方や、発信電極８から離れた場所で、発信電極８上に立つ店員９の重量の影響を受けない場所に設けることもできる。
【００２９】
一方、図３のように、この発明の物体にあたる商品１０には、ＩＤ受信手段としてのＩＣシール１１を貼付している。このＩＣシール１１は、図４のように、受信電極１２と、受信回路１３と、ＣＰＵ１４と、記憶部１５とを備えている。上記受信電極１２は、上記ＩＤ発信装置４の発信電極８から発信された場所ＩＤを受信する電極である。
【００３０】
また、受信回路１３は、受信した信号を場所ＩＤとしてＣＰＵ１４に入力し、ＣＰＵ１４は、それを記憶部１５に記憶させる機能を備えている。なお、上記ＣＰＵ１４は、受信した場所ＩＤを記憶部１５に記憶させる際に、上記場所ＩＤに、その受信日時を対応付けて記憶させる機能を備えてもよい。
さらに、上記ＣＰＵ１４は、図示しない入出力部を介して、記憶部１５が記憶しているデータを出力する機能も備えている。
【００３１】
上記システムの作用を説明する。
商品１０を購入しようとした客は、商品１０をレジカウンター２へ持っていく。図５のように、レジカウンター２内の店員９は、上記ＩＤ発信装置４の発信電極８の上に立って、客から商品１０を受け取り、商品１０に貼付されたＩＣシール１１部分に手９ｂを触れる。それから、店員９は、ＰＯＳ装置３を用いて、通常の代金精算処理を行なう。
店員９の手９ｂが、受信電極１２に接触しているとき、足９ａは床に設置されている発信電極８と接触している。そこで、上記発信電極８と受信電極１２との間は、店員９の人体を介して接続され、ＩＤ発信装置４から発信された場所ＩＤが、図５に示す破線の矢印Ｂのように受信電極１２へ送信される。
【００３２】
上記受信電極１２を介して場所ＩＤを受信したＩＣシール１１では、ＣＰＵ１４が受信した場所ＩＤに受信時刻を対応付けて記憶部１５に記憶させる。
このように、レジカウンター２内の店員９は、通常の処理を行なうだけで、特別な作業をしなくても、商品１０には、レジカウンター２内の場所ＩＤが記憶されることになる。
そして、レジカウンター２内の場所ＩＤは、発信電極８と受信電極１２とが人体を介して接続された場合にのみ、上記ＩＣシール１１に記憶される。
【００３３】
従って、上記商品１０のＩＣシール１１が記憶している場所ＩＤを、後から読み出すことによって、その商品１０がレジカウンター２内の発信装置４の位置に立っていた店員９によって触られたことが確認できる。
反対に、商品１０が万引された場合には、そのＩＣシール１１には、上記場所ＩＤが記憶されないため、場所ＩＤを商品のＩＣシールから読み出すことができない。そのため、商品が無断で持ち出されたところを発見した場合、店員は、持ち出した人を止めて、その商品のＩＣシールに場所ＩＤが記憶されていないことを確認して、その商品がレジを通らないで持ち出されたと主張する材料にすることもできる。
また、場合によっては、客が万引を疑われた場合、商品１０に貼付されているＩＣシール１１から、そこに記憶されている場所ＩＤを読み出して、それがレジカウンター２内のものであることが確認できれば、不当な疑いを晴らすこともできる。
【００３４】
このシステムでは、ＩＤ発信装置４から発信される場所ＩＤが、従来のように無線通信で発信されるものではないので、商品１０がレジカウンター２の付近を通過したというだけでは、上記ＩＣシール１１が、場所ＩＤを受信することはできない。そのため、店員９がその商品１０を処理したかどうかを、より正確に推測することができる。
ただし、レジカウンター２内には、店員以外は簡単に立ち入ることができないようにしておくことが望ましい。
なお、この第１実施形態では、レジカウンター２内の店員９の立ち位置が、この発明の特定の場所である。
【００３５】
図６、図７に、この発明の第２実施形態を示す。
この第２実施形態では、図６に示すように、ハンドランプ１６のグリップ１６ａにこの発明のＩＤ受信手段であるＩＣシール１１を貼付している。このハンドランプ１６は、夜間、警備員がビル内を巡回する際に利用するハンドランプであり、スイッチ１６ｂによって点灯するようにしている。
そして、上記ＩＣシール１１は、図４に示す第１実施形態のＩＣシール１１と同じものであり、警備員がグリップ１６ａを握ったとき、その手の平と受信電極１２とが接触するようにしている。ただし、このＩＣシール１１の受信回路１３（図４参照）には、上記スイッチ１６ｂが接続され、ランプが点灯したときにのみ動作するようにしている。
【００３６】
一方、図７に示すように、上記警備員が巡回すべき経路には、ＩＤ発信装置４ａ，４ｂ，４ｃを設置している。ここでは、廊下１７に面した各部屋１８ａ，１８ｂ，１８ｃ内の床に、それぞれＩＤ発信装置４ａ，４ｂ，４ｃを設けている。これらのＩＤ発信装置は図２に示す第１実施形態のＩＤ発信装置４と同様の装置である。そして、各ＩＤ発信装置４ａ，４ｂ，４ｃの記憶部５は、それぞれの設置場所を特定する場所ＩＤを記憶し、発信電極８を床面に露出させている。
なお、上記ＩＤ発信装置４ａ，４ｂ，４ｃを設置した場所は、警備員がビル内を巡回する際に行かなければならない場所である。すなわち、各部屋１８ａ，１８ｂ，１８ｃのドアを開けて、廊下１７から中を覗くだけでなく、中に入ってから、上記ハンドランプ１６で室内を照らして異常が無いかどうか確認しなければならないようにしている。
【００３７】
警備員が、ハンドランプ１６のスイッチ１６ｂを入れて点灯させると、上記ＩＣシール１１がＩＤ受信手段として機能する。そこで、上記警備員が、点灯したハンドランプ１６を携帯して、ビル内の巡回を行ない、各部屋１８ａ，１８ｂ，１８ｃのＩＤ発信装置４ａ，４ｂ，４ｃ上に立ったときには、警備員の足がＩＤ発信装置の発信電極８と接触するので、発信電極８と受信電極１２とが警備員の人体を介して電気的に接続される。従って、ＩＤ発信装置４ａ，４ｂ，４ｃの設置場所に対応した場所ＩＤが、発信電極８から人体を介して、ハンドランプ１６に貼付したＩＣシール１１の受信電極１２へ送信される。上記ＩＣシール１１では、ＣＰＵ１４が、受信電極１２および受信回路１３を介して受信した場所ＩＤに受信日時を対応付けて記憶部１５に記憶させる。
【００３８】
例えば、警備員が、部屋１８ａのＩＤ発信装置４ａ上で、室内をハンドランプ１６で照らして見回した時には、部屋１８ａの場所ＩＤと時刻がハンドランプ１６のＩＣシール１１の記憶部１５に記憶される。同様に、他の部屋や、その他、ＩＤ発信装置が設置されている場所に、警備員が立った時に、その場所の場所ＩＤが上記ＩＣシール１１へ送信される。
【００３９】
そのため、後から、ＩＣシール１１の記憶部１５が記憶しているデータを図示しない装置で読み出せば、そのデータに含まれる場所ＩＤから、警備員が立ち寄った場所が確認できるし、場所ＩＤに対応した時刻データから、立ち寄り時刻や経路を確認することもできる。
しかも、上記ハンドランプ１６のＩＣシール１１は、ランプを点灯させたときにのみ、ＩＤ受信手段として機能するので、警備員がＩＤ発信発装置４ａ，４ｂ，４ｃ，４ｄ上に立っても、きちんとハンドランプ１６を点灯させなければ、場所ＩＤがＩＣシール１１に記憶されることがない。
【００４０】
つまり、上記ＩＣシールが記憶している場所ＩＤから、その場所で、ハンドランプ１６を点灯させていたことも確認できる。
なお、上記第２実施形態では、ＩＤ発信装置の設置場所を、立ち寄るべき場所としているので、上記記憶部１５が記憶しているデータから、警備員が、ハンドランプ１６を点灯させて、決められた場所をきちんと巡回したかどうかを確認することができる。
【００４１】
上記のように、この発明のシステムを利用すると、特定の物体が人の手を介して、特定の場所に位置したという履歴を確認することができる。このシステムでは、上記物体を手にした人の特定や、人の動作までは特定できないが、上記発信電極８と受信電極１２との間に人体が介在したことと、物品の位置データとに基づいて、特定の場所で、人によって行なわれる特定の処理、例えば、商品代の受け取りや、室内の見回りなどが、行なわれたことを推測できる。
【００４２】
なお、上記第２実施形態では、ハンドランプ１６が、この発明の特定の場所において利用される手段である。そして、ハンドランプ１６を点灯させるためのスイッチ１６ｂが、この発明の手段を機能させるスイッチであり、ＩＤ受信手段を機能させるスイッチである。
ただし、特定の場所である床面にＩＤ受信手段を設けて、ハンドランプ１６にＩＤ発信手段を設けてもかまわない。その場合、上記スイッチ１６ｂが、ＩＤ発信手段を動作させるスイッチとなる。
【００４３】
さらに、上記ハンドランプのような特定場所において利用される手段としては、例えば、清掃用具、点検工具などが考えられる。上記清掃用具にＩＤ発信手段あるいはＩＤ受信手段を設け、清掃すべき場所にＩＤ発信手段あるいはＩＤ受信手段を設ければ、ＩＤ受信手段が記憶しているデータから、その場所で、清掃用具を手にしたか否かを確認することができる。その確認結果に基づいて、その場所で清掃作業が行なわれたかどうかを推測できる。
また、工事現場や、鉄道の線路などで、安全確認のために用いる点検工具にＩＤ受信手段あるいはＩＤ発信手段を設けて、点検の際に立つべき場所にＩＤ発信手段あるいはＩＤ受信手段を設ければ、その場所で、必要な点検工具を手にしたか否かを、後から確認することができる。そして、必要な点検作業が行なわれたかどうかを推測できる。
そして、上記いずれの手段にも、それを機能させるためのスイッチがあれば、そのスイッチをＩＤ発信手段やＩＤ受信手段に連係させて、その動作のスイッチとすることができる。
【００４４】
図８、図９に示す第３実施形態は、複数の特定の場所間に仕切りを設けた店舗の例である。
図８に示す店舗Ｃは、商品の陳列棚１と、レジカウンター２とを備え、レジカウンター１には、ＰＯＳ装置３を備えている。また、このレジカウンター２の内外の床面には、ＩＤ受信装置１１ａ、１１ｂを備えている。これらのＩＤ受信装置１１ａ，１１ｂは、それぞれ図４に示すＩＣシール１１と同様の構成をして、受信電極１２ａ，１２ｂを床面に設けている。
【００４５】
一方、商品１０には、表面に発信電極８を備えたＩＤ発信装置４を取り付けている。このＩＤ発信装置４は、図２に示す第１実施形態のものと同様の構成をしている。ただし、記憶部５は、この発明の物体である商品１０を特定する商品ＩＤを記憶している。
そして、商品１０のＩＤ発信装置４の発信電極８と、床面の受信電極１２ａまたは１２ｂとの間に人体が介在したときに、商品ＩＤがＩＤ受信装置１１ａ、またはＩＤ受信装置１１ｂに受信されるようにしている。
【００４６】
以下に、このシステムの作用を説明する。
客１９が、陳列棚１から好みの商品１０を、レジカウンター２へ持っていく。このとき、商品１０側の発信電極８は客１９の手１９ｂと接触している。そして、客１９が、レジカウンター２の前で、上記ＩＤ受信装置１１ｂ上に立つと、受信電極１２ｂに客１９の足１９ａが接触し、ＩＤ発信装置４の発信電極８と上記受信電極１２ｂとが、客１９の人体を介して接続され、商品１０の商品ＩＤが、図９に示す破線の矢印Ｄのように受信電極１２ｂへ送信される。
受信装置１１ｂでは、受信した商品ＩＤに受信時刻を対応付けて記憶する。
【００４７】
次に、レジカウンター２内の受信装置１１ａ上に立っている店員９が、客１９から商品１０を受け取る。このとき、店員９の足９ａと受信電極１１ａとが接触しているので、商品１０のＩＤ発信装置４の発信電極８に手９ｂが触れると、この発信電極８と上記受信電極１２ａとの間が店員９の人体を介して接続される。
そこで、上記発信電極８から受信電極１２ａへ商品ＩＤが送信される。商品ＩＤを受信した受信装置１１ａは、受信した商品ＩＤに受信時刻を対応付けて記憶する。
その後、代金の精算が済んだら、再び、商品１０は、客１９に手渡されるが、客１９が商品１０を受け取った時点で、再度、発信電極８と受信電極１２ｂとの間が客１９の人体で接続され、商品ＩＤが受信装置１１ｂ送信され、受信時刻を対応付けて記憶される。
【００４８】
このように、受信装置１１ａ，１１ｂには、受信時刻を対応付けた商品ＩＤが記憶される。従って、受信装置１１ａ，１１ｂが記憶している商品ＩＤを読み出せば、いつその商品がその場所で取り扱われたかが分かる。例えば、客１９が陳列棚からレジカウンター２へ商品を持ってきたときをｔ１、店員９がそれを受け取ったときをｔ２、代金の精算後に客が受け取ったときをｔ３とすれば、特定の商品ＩＤに対応付けられた時刻ｔ１，ｔ２，ｔ３が、それぞれ、受信装置１１ｂ、１１ａ、１１ｂに記憶されていることになる。これらのデータから、商品１０が、上記レジカウンター２越しに、客から店員に渡り、また客に渡ったことが確認できる。これにより、商品１０が、レジを通って正規に持ち出されたと推測できる。
【００４９】
もしも、客が代金を支払わなかった場合には、受信装置１１ｂに商品ＩＤが記憶されたｔ１の後に、受信装置１１ａにその商品ＩＤが記憶されていないので、レジカウンター２内の店員がその商品１０を手にとっていないことが分かり、不正に持ち出されてしまった可能性があることが分かる。
また、店員が、自店の商品１０を不正に持ち去ろうとした場合、客の変わりにレジカウンター２の外側に設置されたＩＤ受信装置１１ｂの上に立ち、次にレジカウンター２内の店員が立つべき場所に設置されたＩＤ受信装置１１ａ上に立ち、さらに、レジカウンター２の外側でＩＤ受信装置１１ｂの上に立って、商品ＩＤを３回読み込ませることが考えられる。しかし、このような場合には、一人の不正者が、レジカウンター２の内外を行ったり来たりしなければならない。このような不正を行った場合には、正規に、レジカウンター２越しに商品１０をやり取りする場合と比べて、受信時刻ｔ１，ｔ２，ｔ３の間隔が長くなるので、不正を疑うことができる。同様に、レジカウンター２内の景品等を客に提供する場合においても、自店の店員が、不正に景品を持ち出した場合には、そのことを推測することもできる。このように、レジカウンター２内から、景品等を提供する場合は、レジカウンター２内のＩＤ受信装置１１ａが最初に商品ＩＤを受信し、その後にＩＤ受信装置１１ｂが商品ＩＤを受信するので、これらの受信時刻ｔ２とｔ３の間隔から、従業員がレジカウンター２の外に回って客に成りすましたかどうかを推測すればよい。
【００５０】
なお、上記商品ＩＤおよび時刻データを判断するためには、複数の特定の場所であるレジカウンター２の内外に設置された２つのＩＤ受信装置１１ａ，１１ｂからデータを読み出す必要がある。個々のＩＤ受信装置１１ａ，１１ｂから別々にデータを読み出してもよいし、ＩＤ受信装置１１ａ，１１ｂに管理コンピュータを接続して、その管理コンピュータを介して、データを出力するようにしてもよい。
また、上記第３実施形態では、店員９が立つべき特定の場所と、客１９が立つべき特定の場所との間にレジカウンター２を設けて、それぞれの特定の場所を区画している。つまり、このレジカウンター２がこの発明の仕切りである。このような仕切りによって、両者が立つべき場所で物体に触ったかどうかをより正確に把握できるようになる。
【００５１】
以上の実施形態において、ＩＤ発信手段とＩＤ受信手段のどちらを、物体に設けてもかまわない。この発明のシステムの使い方によって、どちらにＩＤ発信手段を設けるか決めればよい。
例えば、物体側に場所ＩＤを記憶させた場合には、その物体側のＩＤを検出することで、正しく持ち出されたか否か判断することができる。しかし、その物体がなくなってしまうと、記憶したＩＤデータを読み出すことができなくなってしまうことになる。
反対に、物体が持ち出されてしまうことを監視し、持ち出されてしまった物体があることを後から確認したい場合には、特定の場所にＩＤ受信手段を設け、特定の場所に物体のＩＤを記憶させるようにすれば、特定の物体が、不正に持ち出されてしまったことを後から確認することができる。
【００５２】
また、点検作業などに必要な道具を持って行ったかどうかを、後から確認するためには、物体側にＩＤ受信手段を設けた方が、個々の物体が、自身が必要な場所へ持っていかれたかどうかを記憶しているので、データの読み出し処理が簡単である。
なお、上記実施形態では、ＩＤ発信手段の発信電極およびＩＤ受信手段の受信電極をともに、表面に設けて、人体に接触させるようにしているが、人体との間にＩＤ信号を伝達可能な物質を介在させてもかまわない。特に、ＩＤ信号を、電界信号にすれば、上記発信電極と受信電極との間に、靴など、非導電性の物質が介在してもかまわない。
【００５３】
また、上記各実施形態において、ＩＤ受信手段は、受信したＩＤに受信時刻を対応付けて記憶しているようにしているが、受信時刻の代わりに、発信時刻を対応付けるようにしてもよい。この場合の発信時刻は、ＩＤ発信手段がＩＤを発信する際に特定して、ＩＤとともに発信するようにする。
ただし、これらの時刻を記憶しなくてもかまわない。
【図面の簡単な説明】
【００５４】
【図１】第１実施形態におけるＩＤ発信手段の位置を示した店舗の平面図である。
【図２】第１実施形態のＩＤ発信手段のブロック図である。
【図３】第１実施形態の商品の斜視図である。
【図４】第１実施形態のＩＤ受信手段のブロック図である。
【図５】第１実施形態の作用を説明するための模式図である。
【図６】第２実施形態のハンドランプの斜視図である。
【図７】第２実施形態におけるＩＤ発信手段の位置を示したビル内の平面図である。
【図８】第３実施形態におけるＩＤ発信手段の位置を示した店舗の平面図である。
【図９】第３実施形態の作用を説明するための模式図である。
【符号の説明】
【００５５】
４      ＩＤ発信装置
４ａ，４ｂ，４ｃ  ＩＤ発信装置
５      記憶部
８      発信電極
９      店員
９ａ    足
９ｂ    手
１０    商品
１１    ＩＣシール
１２    受信電極
１５    記憶部
１６    ハンドランプ
１６ａ  取っ手
１６ｂ  スイッチ
１１ａ，１１ｂ  ＩＤ受信装置
１２ａ，１２ｂ  受信電極
１９    客
１９ａ  足
１９ｂ  手
【図１】
2007034911.tif 000003
【図２】
2007034911.tif 000004
【図３】
2007034911.tif 000005
【図４】
2007034911.tif 000006
【図５】
2007034911.tif 000007
【図６】
2007034911.tif 000008
【図７】
2007034911.tif 000009
【図８】
2007034911.tif 000010
【図９】
2007034911.tif 000011